(57)【要約】【課題】雨樋装置の排水継手をパーツ化して軒樋本体と簡単に接続することができるバルコニー床における雨樋装置を提供することを目的とする。【解決手段】バルコニー床の溝排水路５３に設けられる雨樋装置であって、軒樋１に樋継手２を介して樋状の排水継手３が接続され、該排水継手３は軒樋本体と同じ断面形状を有した樋状体３１の片側壁３２に排水開口３３が形成され、該排水開口３３から筒状排水口３４が水平方向に延設されており、該筒状排水口３４がバルコニー５の腰壁５１から水平方向に貫通して屋外側に突設し、突設した筒状排水口３４の先端に竪樋７が接続されるいる。【選択図】　　　図１【特許請求の範囲】
【請求項１】
バルコニー床の溝排水路に設けられる雨樋装置であって、軒樋に樋継手を介して樋状の排水継手が接続され、該排水継手は軒樋本体と同じ断面形状を有した樋状体の片側壁に排水開口が形成され、該排水開口から筒状排水口が水平方向に延設されており、該筒状排水口がバルコニーの腰壁から水平方向に貫通して屋外側に突設し、突設した筒状排水口の先端に竪樋が接続されることを特徴とするバルコニー床における雨樋装置。
【請求項２】
バルコニー床の溝排水路に設けられる雨樋装置であって、軒樋に樋継手を介して樋状の排水継手が接続され、該排水継手は一端部が樋継手に接続され、他端部が排水開口を有する止水壁で閉塞され、該止水壁の排水開口から軒樋の長手方向と同軸となる方向に筒状排水口が水平方向に延設されており、該筒状排水口がバルコニーの腰壁から水平方向に貫通して屋外側に突設し、突設した筒状排水口の先端に竪樋が接続されることを特徴とするバルコニー床における雨樋装置。
【発明の詳細な説明】
【０００１】
【発明の属する技術分野】
本発明は、住宅のベランダやバルコニー等の床の溝排水路に設けられた雨樋装置に関する。
【０００２】
【従来の技術】従来、アスファルトルーフィングやコンクリート等によって構成されたバルコニーやベランダの床面の上にタイルマット等の床化粧材が敷設されることが提案されている（例えば、特開平７─４２３４８号公報，特開平９─９６０９１号公報参照）。
【０００３】
このようなアスファルトルーフィング等によって構成されたバルコニーやベランダの床はタイルマットが敷設された床面を流れる雨水を排水溝としての雨樋装置で受けて、バルコニーの階下に排水するようになっている。この場合、雨樋装置は塩ビ鋼板を折曲して軒樋状に形成したものでバルコニー床の排水通路となる部分に埋設するようにして設けられている。
【０００４】
【発明が解決しようとする課題】
ところで、上記の雨樋装置では、雨樋本体は塩ビ鋼板を折曲加工したものであり、また、バルコニーの腰壁の部分を貫通して階下に排水するための排水口の部品も折曲加工する必要がある。特に、排水口の部品は原板を所定サイズに切断してから筒状に折り曲げて重ね代をリベットで固定する作業が必要で手間がかかるという問題がある。
【０００５】
また、このような排水口部品を雨樋本体の排水開口にリベットで接続固定してから、さらにリベット固定した接続部分にコーキング材を塗布する必要があるので、現場での折曲加工や接続取付け作業に時間がかかっている。そのため、軒樋本体を加工する加工工場で排水口を一体に接続してから、バルコニーの床組み立て現場に持ち込んで取付けている。
【０００６】
しかしながら、排水口が一体に組み込まれた雨樋装置の場合、バルコニーの大きさによって、長さの異なる軒樋本体を種々揃えておく必要があり、在庫保管や輸送の費用が嵩むという問題がある。
【０００７】
本発明は、このような事情に鑑みて、雨樋装置の排水継手をパーツ化して軒樋本体と簡単に接続することができるバルコニー床における雨樋装置を提供することを目的としている。
【０００８】
【課題を解決するための手段】このような目的を達成するために、請求項１記載の発明に係わるバルコニー床における雨樋装置は、バルコニー床の溝排水路に設けられる雨樋装置であって、軒樋に樋継手を介して樋状の排水継手が接続され、該排水継手は軒樋本体と同じ断面形状を有した樋状体の側壁に筒状排水口が水平方向に延設して設けられており、該筒状排水口がバルコニーの腰壁から水平方向に貫通して屋外側に突設し、突設した筒状排水口の先端に竪樋が接続されていることを特徴とする。
【０００９】
請求項２記載の発明に係わるバルコニー床における雨樋装置は、バルコニー床の溝排水路に設けられる雨樋装置であって、軒樋に樋継手を介して樋状の排水継手が接続され、該排水継手は一端部が樋継手に接続され、他端部が排水開口を有する止水壁で閉塞され、該止水壁の排水開口から軒樋の長手方向と同軸となる方向に筒状排水口が水平方向に延設されており、該筒状排水口がバルコニーの腰壁から水平方向に貫通して屋外側に突設し、突設した筒状排水口の先端に竪樋が接続されることを特徴とする。
【００１０】
本発明において、雨樋装置の材質としては、特に限定されるものではないが、例えば、硬質塩化ビニル樹脂、アクリル樹脂、ポリエチレン、ポリプロピレン、ポリカーボネート、ＡＢＳ樹脂、ＡＥＳ樹脂（ＡＢＳ樹脂の耐候性を向上させるためにゴム成分にＥＰゴムを使用した樹脂）のような合成樹脂の他、ポリフェニレンサルファイドのようなエンジニアリングプラスチックが使用できる。
【００１１】
【発明の実施の形態】
以下に、本発明の実施の形態をあらわす図面を参照しつつ詳しく説明する。
図１は本発明のバルコニー床における雨樋装置の第１実施例を示す分解斜視図である。
【００１２】
図１に示すように、本発明のバルコニー床における雨樋装置は、軒樋１の一方の端部に樋止まり４が取付けられ、他方の端部に樋継手２を介して樋状の排水継手３の一端部が接続されており、排水継手３の他端部にも樋止まり４が取付けられている。
【００１３】
軒樋１は押出成形品で、図２に示すように、本体部１０が平坦な底壁１１の両側部からそれぞれ側壁１２、１２が立設されて溝形断面に形成されている。尚、両側壁１２、１２は底壁１１の両側部から外側に向け若干傾斜して左右対称となるように形成されており、両側壁１２、１２の上端には外側に張り出すように中空耳部１３、１３が形成されている。
【００１４】
樋継手２は、図３〜図４に示すように、外樋状体２１、内樋状体２２及び接合部２３を合成樹脂にて一体に射出成形して得られるもので、樋状に屈曲して形成された外樋状体２１と内樋状体２２とが相互に間隔をあけて接合部２３で結合され、その両端部に側方へ開口した軒樋端部挿入溝２４が形成されている。そして、この軒樋端部挿入溝２４において、外樋状体２１の端部が内樋状体２２の端部よりも側方に長く突出している。
【００１５】
外樋状体２１は、軒樋１の外側を押さえるように軒樋１の外面形状と同じ形状に形成されており、外樋状体２１の両上縁端部に略Ｌ字型の耳係止部２５、２５が一体に形成されている。また、内樋状体２２は、軒樋１の内側を押さえるように軒樋１の内面形状と同じ形状に形成されている。
【００１６】
排水継手３は、図５に示すように、軒樋１の本体部１０と同じ断面形状を有した樋状体３１の片方の側壁３２に排水開口３３が形成されており、この排水開口３３から筒状排水口３４が外方に向けて水平方向に延設して設けられ、合成樹脂にて樋状体３１と筒状排水口３４とが一体に射出成形して得られる。この筒状排水口３４は角型であって、その長さＬは、例えば、バルコニー等の腰壁を貫通して屋外側に突出することができる程度の長さに設定されているほうが好ましい。尚、両側壁３２、３２の上端には外側に張り出すように略Ｌ字型の耳係止部３５、３５が一体に形成されているが、軒樋１と同じように中空耳部１３、１３であってもよい。
【００１７】
樋止まり４は合成樹脂により射出成形されたもので、図６に示すように、板状の止まり本体４０と、この止まり本体４０の片面側に間隔をあけて延設された外押さえ片４１と内押さえ片４２とで構成されている。
【００１８】
止まり本体４０は軒樋１の断面形状に似た板状の形状に形成され、外押さえ片４１は軒樋１の外側を押さえるように軒樋１の外面形状と同じ形状の樋状に屈曲して形成されており、内押さえ片４２は、軒樋１の内側を押さえるように軒樋１の内面形状と同じ形状の樋状に屈曲して同じ形状に形成されている。
【００１９】
そして、樋状に屈曲して形成された外押さえ片４１と内押さえ片４２とが相互に間隔をあけて止まり本体４０の周縁部で結合されることにより、その端部に片方へ開口した軒樋端部挿入溝４４が形成されている。この軒樋端部挿入溝４４において、外押さえ片４１の端部が内押さえ片４２の端部よりも側方に長く突出している。また、外押さえ片４１の両上縁端部には略Ｌ字型の耳係止部４５、４５が一体に形成されている。
【００２０】
次に、上記の第１実施例における雨樋装置の使用態様を図８〜９に基づいて説明する。
【００２１】
バルコニー５は、建物Ｈと前面腰壁５１との間の基礎Ｇ上に両側腰壁５２、５２に囲まれて床面５０が形成され、バルコニー５の床面５０の前面腰壁５１側に排水通路５３が桁方向に沿って設けられている。
【００２２】
排水通路５３は、底壁５４と立上がり壁５５とから構成され、前記雨樋装置が収納される大きさに塗装鋼板を箱型に屈曲して形成されている。腰壁５１と腰壁５１側と対面する立上がり壁５５には排水継手３の筒状排水口３４が挿通される挿通孔５６、５７がそれぞれ開口されている。
【００２３】
バルコニー５の排水通路５３となる部分に上記雨樋装置を設置するには、図１及び図８に示すように、先ず、排水継手３の筒状排水口３４を排水通路５３の挿通孔５６から腰壁５１の挿通孔５７へと挿通させる。このとき、排水継手３の一端部に樋継手２を接続し、他端部に樋止まり４を取付けておいてもよい。次に、腰壁５１の挿通孔５７から突出している筒状排水口３４の先端にエルボ６を取付け、竪樋７を接続する。続いて、樋継手２を介して軒樋１を接続してから、最後に、軒樋１の一端部に樋止まり４を取り付ける。
尚、バルコニー５の桁方向の寸法が長い場合は、桁寸法の長さに合わせて複数の軒樋１を樋継手２で接続すればよい。
【００２４】
上記のようにして雨樋装置が取付けられたバルコニー５の床面５０にタイルマット（図示しない）が敷設され、使用中において雨が降ると、タイルマット同士の連結の隙間から雨水が床面５０上に流下して、軒樋１に流れ込み排水継手３の筒状排水口３４から屋外側の竪樋７に排水することになる。
【００２５】
図１０は本発明のバルコニー床における雨樋装置の第２実施例を示す分解斜視図である。
この第２実施例の雨樋装置の場合、図１０に示すように、排水継手３ａの一端部が樋継手２に接続されるようになっているが、排水継手３ａの他端部には止水壁３２ａが設けられており、この止水壁３２ａに軒樋１の長手方向と同軸となる方向に筒状排水口３４ａが設けられている。なお、上記図１の第１実施例の雨樋装置と同一部分については、同一符号を付して説明を省略する。
【００２６】
この第２実施例の雨樋装置の場合、図８に示すように、バルコニー５の両側の腰壁５２に沿って排水通路５３ａ（図中では２点鎖線で示す部分）が形成されている場合に適用される。
バルコニー５の排水通路５３ａとなる部分に上記雨樋装置を設置するには、図１１に示すように、先ず、排水継手３ａの筒状排水口３４ａを妻方向に沿って設けられている排水通路５３ａの挿通孔５６ａから腰壁５１の挿通孔５７ａへと挿通させる。このとき、排水継手３ａの一端部に樋継手２を接続し、他端部に樋止まり４を取付けなくてもよい。
【００２７】
以上、本発明の実施の形態を図面により詳述してきたが、具体的な形態はこの実施の形態に限られものではなく、本発明の要旨を逸脱しない範囲における設計の変更等があっても本発明に含まれる。
例えば、軒樋１の両側壁１２、１２は左右対称となるように形成されているが傾斜の程度や高さを違えてもよい。
【００２８】
【発明の効果】
本発明のバルコニー床における雨樋装置は、以上のように構成されているので、雨樋装置の排水継手をパーツ化し、軒樋の長さ寸法を定寸法の規格とすることにより、バルコニーの組み立て現場で簡単に接続することができ、更に、部品の種類を少なくすることができるから、在庫保管や輸送の費用を逓減することができる。
【図面の簡単な説明】
【図１】本発明のバルコニー床における雨樋装置の第１実施例を示す分解斜視図である。
【図２】本発明の実施の形態に用いる軒樋を示した正面図である。
【図３】本発明の実施の形態に用いる樋継手を示した正面図である。
【図４】図３におけるＣ−Ｃ線矢視の断面図である。
【図５】本発明の実施の形態に用いる排水継手を示し、同図（ａ）は正面図で、同図（ｂ）は側面図である。
【図６】本発明の実施の形態に用いる樋止まりを示した正面図である。
【図７】図６におけるＤ−Ｄ線矢視の断面図である。
【図８】本発明のバルコニー床における雨樋装置が適用されるバルコニー床を示す概略説明図である。
【図９】本発明のバルコニー床における雨樋装置の第１実施例の使用状態を示す断面図である。
【図１０】本発明のバルコニー床における雨樋装置の第２実施例を示す分解斜視図である。
【図１１】本発明のバルコニー床における雨樋装置の第２実施例の使用状態を示す断面図である。
【符号の説明】
Ｈ　　　建物
１　　　軒樋
２　　　樋継手
３　　　排水継手
３１　　樋状体イル
３２　　側壁
３２ａ　止水壁
３３　　筒状排水口
４　　　樋止まり
５　　　バルコニー
５０　　床面
５１、５２　　腰壁
５３、５３ａ　排水通路
６　　　エルボ
７　　　竪樋
【図１】
2004011258.tif 000002
【図２】
2004011258.tif 000003
【図３】
2004011258.tif 000004
【図４】
2004011258.tif 000005
【図５】
2004011258.tif 000006
【図６】
2004011258.tif 000007
【図７】
2004011258.tif 000008
【図８】
2004011258.tif 000009
【図９】
2004011258.tif 000010
【図１０】
2004011258.tif 000011
【図１１】
2004011258.tif 000012